(57)【特許請求の範囲】
【請求項１】
撮影データが書き込まれるＩＣメモリを内蔵したフイルムカートリッジが装填されるカートリッジ収納室と、ロール状にされた写真フイルムが収納されるフイルムロール室と、このフイルムロール室の前面側に着脱自在に組み付けられるストロボ回路基板とを備えたレンズ付きフイルムユニットにおいて、
前記ＩＣメモリに撮影データを書き込むデータ記録回路をストロボ回路基板に設け、ＩＣメモリとデータ記録回路とを接続するデータ中継手段をカートリッジ収納室に着脱自在に設け、ストロボ回路基板の一部をカートリッジ収納室の近傍まで延長し、この延長部にデータ中継手段に撮影データを出力するデータ出力部を設けたことを特徴とするレンズ付きフイルムユニット。
【請求項２】
前記データ中継手段は、カートリッジ収納室に爪係合によって着脱自在に組み付けられるプリント基板と、このプリント基板に組み付けられ、カートリッジ収納室内のＩＣメモリの接点群にそれぞれ当接する複数の金属接片と、カートリッジ収納室外に配置され、ストロボ回路基板のデータ出力部が接触あるいは非接触によって接続されて撮影データが入力されるデータ入力部とからなることを特徴とする請求項１記載のレンズ付きフイルムユニット。
【請求項３】
前記ＩＣメモリの接点群はカートリッジ収納室の上部側に設けられており、プリント基板はカートリッジ収納室の上部に組み付けられ、カートリッジ収納室の上面に形成された少なくとも一つの開口から複数の金属接片をカートリッジ収納室内に差し込むことを特徴とする請求項２記載のレンズ付きフイルムユニット。
【請求項４】
前記データ出力部とデータ入力部とが接続される方向は、ストロボ回路基板がフイルムロール室の前面に組み付けられる際に移動される方向と同一方向であることを特徴とする請求項１ないし３いずれか記載のレンズ付きフイルムユニット。
【発明の詳細な説明】
【０００１】
【発明の属する技術分野】
本発明は、レンズ付きフイルムユニットに関し、更に詳しくは、ＩＣメモリを備えたフイルムカートリッジが装填されるレンズ付きフイルムユニットに関するものである。
【０００２】
【従来の技術】
当技術分野で提案され、雑誌「写真工業」（（株）写真工業出版社  １９９４年１２月号  ｐ．１１）にも紹介されたＡＰＳ（Ａｄｖａｎｃｅｄ  Ｐｈｏｔｏ  Ｓｙｓｔｅｍ）では、国際公開ＷＯ：９０／０４２１４号記載のような透明な磁気記録層を設けた写真フイルムが使用されている。この磁気記録層は写真撮影時にカメラから得られた撮影データなどを記録するために用いられ、そして現像所でこの撮影情報を読みだしてプリント処理その他に活用できるようにしてある。
【０００３】
磁気記録層に書き込まれる撮影データとしては、一般のカメラにあってはシャッタ秒時や絞り値、あるいはストロボ撮影を行ったか否かなどの露出データの他、プリント写真のアスペクト比が標準指定，パノラマ指定，Ｌプリント指定のいずれであるか、または特開昭５４−２６７２１号公報記載のようなトリミング指示機能をもったカメラでは、そのトリミング範囲を示すためのプリントフォーマットデータ、さらに撮影年月日を表すデートデータ、またはカメラに設けられた入力手段からユーザーが任意に入力した文字データ（例えば撮影シーンに応じたタイトルやコメント）などがある。
【０００４】
これらの撮影データはプリント処理を行う際に現像所で読み出され、例えば露出データはプリント時の露光制御に用いることができ、プリントフォーマットデータはプリント倍率の自動設定やネガマスク，印画紙マスクの切換え制御に用いることができ、カメラ側では一律の画面サイズで撮影してもユーザーが指定した形態のプリント写真を作ることができる。
【０００５】
また、磁気記録層から読み出されたデートデータや文字データを、プリント時に文字パターンに変換して焼き込み処理を行うことによって、従来のカメラで用いられていた光学的なデータ写し込み装置が不要になる利点がある。しかもこれらの文字データ中に、そのプリント位置，プリント姿勢，プリントサイズ，プリントカラーに関するデータも含ませておけば、これまでのデータ写し込み装置では得られないデータ写し込みサービスを行うことも可能になる。
【０００６】
さらに、上記磁気記録層にカメラの種別データを記録してプリント処理時の露光補正の要否判定や目安に利用したり、集合写真のようにプリント枚数が人数分必要なことが撮影時に分かるときにはそのプリント枚数データを記録しておくことによって、同時プリントサービスでも必要枚数のプリントを行うことができるようになる。また、この磁気記録層は、撮影時にカメラから得られる撮影データ以外にも、現像所において焼増しプリントを行うときのプリント枚数のデータや、プリント処理時の露光補正データ、あるいはプリントサービスの引受け日時や引受けナンバーなどのラボデータの記録に用いたりすることも可能である。
【０００７】
上記写真フイルムが収納されるカートリッジは小型，軽量なので、レンズ付きフイルムユニットにも用いることが検討されている。しかしながら、磁気ヘッド及びその駆動機構を含む磁気記録装置を内蔵させる必要があり、レンズ付きフイルムユニットに用いるにはコストが高過ぎて採用することはできない。そのため、レンズ付きフイルムユニットに磁気記録層付き写真フイルムを装填しても、有効に利用することができない。
【０００８】
特開昭５６−１５４７２０号公報や特開平２−２１７８２９号公報では、フイルムカートリッジにＩＣメモリ（半導体メモリ）を組み込んでおき、前述したような撮影データをこのＩＣメモリに書き込んで現像所やユーザーが利用できるようにするシステムが提案されている。このシステムにおいても、磁気記録層を利用した場合とほぼ同様の機能を得ることができ、かつ磁気記録装置よりも低コストなので、回収後の再使用を図ればレンズ付きフイルムユニットにも採用可能である。なお、ＩＣメモリが内蔵されたフイルムカートリッジを用いる場合には、カートリッジと写真フイルムとが分離され、これらの対応がとれなくなる場合も考えられるので、ラボ等でＩＣメモリのデータを写真フイルムの磁気記録層に書き移すようにするとよい。
【０００９】
レンズ付きフイルムユニットに上述のＩＣメモリ内蔵のフイルムカートリッジを装填する場合、ＩＣメモリへのデータ記録に用いられるデータ記録回路や、電源等がレンズ付きフイルムユニット内に必要となる。データ記録回路は、レンズ付きフイルムユニットに組み込まれているストロボ回路基板にストロボ回路と一緒に組み込むことができ、電源としてはストロボ用の乾電池を用いることができる。
【００１０】
【発明が解決しようとする課題】
上述のように、ストロボ回路基板にデータ記録回路を設けた場合、ストロボ回路基板からカートリッジ収納室内のフイルムカートリッジまで配線をしなくてはならず、この配線は自動化することが難しいため手作業が必要となり、レンズ付きフイルムユニットの高コスト化を招いてしまう。また、ストロボ回路基板はレンズ付きフイルムユニットの使用後に再使用されるので、データ記録回路を組み込んでＩＣメモリに接続しても、レンズ付きフイルムユニットから取り外しやすくなくてはならない。更に、ストロボ回路基板からＩＣメモリまでの配線によってレンズ付きフイルムユニットが大型化してしまうと、携帯性が損なわれてしまうという問題がある。
【００１１】
本発明は、上記課題を解決するためのもので、組立適正やリサイクル適正等を考慮しつつ、フイルムカートリッジのＩＣメモリにデータを記録する機能を備えたレンズ付きフイルムユニットを提供することを目的とする。
【００１２】
【課題を解決するための手段】
上記問題点を解決するために、請求項１記載のレンズ付きフイルムユニットは、ＩＣメモリに撮影データを書き込むデータ記録回路をストロボ回路基板に設け、ＩＣメモリとデータ記録回路とを接続するデータ中継手段をカートリッジ収納室に着脱自在に設け、ストロボ回路基板の一部をカートリッジ収納室の近傍まで延長し、この延長部にデータ中継手段に撮影データを出力するデータ出力部を設けたものである。これによれば、ストロボ回路基板からＩＣメモリまでをリード線を用いて配線する必要がなくなり、自動組立てに適したものとなる。
【００１３】
また、請求項２記載のレンズ付きフイルムユニットは、カートリッジ収納室に爪係合によって着脱自在に組み付けられるプリント基板と、このプリント基板に取り付けられ、カートリッジ収納室内のＩＣメモリの接点群にそれぞれに当接する複数の金属接片と、カートリッジ収納室外に配置され、ストロボ回路基板のデータ出力部が接触あるいは非接触によって接続され、撮影データが入力されるデータ入力部とからデータ中継手段を構成したものである。このようにデータ中継手段の構成が簡素なので低コストであり、故障等の不具合も発生しにくい。また、回収後の取り外しも容易であり再利用に適している。
【００１４】
さらに、請求項３記載のレンズ付きフイルムユニットは、ＩＣメモリの接点群がカートリッジ収納室の上部側に設けられている場合、プリント基板をカートリッジ収納室の上部に組み付け、カートリッジ収納室の上面に形成された少なくとも一つの開口から複数の金属接片をカートリッジ収納室内に差し込むようにしたものである。これによれば、データ中継手段を省スペースにレンズ付きフイルムユニットに組み込むことができ、レンズ付きフイルムユニットの小型性を維持できる。
【００１５】
また、請求項４記載のレンズ付きフイルムユニットは、データ出力部とデータ入力部の接続方向を、ストロボ回路基板のフイルムロール室前面への組み付け方向と同一にしたものである。これによれば、ストロボ回路基板の着脱時の移動を利用して、データ出力部とデータ入力部との接続及び接続解除を行うことができる。
【００１６】
【発明の実施の形態】
以下、添付した図面に従って、本発明を実施したレンズ付きフイルムユニットの一形態について説明する。図１に示すように、ＩＣメモリ付きフイルムカートリッジ２は、プラスチック製の上ケース３と下ケース４とからなるカートリッジ本体５内に、写真フイルム６を巻き付けたスプール７が回動自在に収納されている。
【００１７】
スプール７の両端はカートリッジ本体５の両端面から露呈し、各々キー溝９が形成されている。上下ケース３，４の合わせ目の一方にはポート口（図示せず）が形成されたポート部１０が設けられ、ポート口を通して写真フイルム６が出入りする。このポート口を開閉するために、ポート部１０内には遮光蓋１１が組み込まれ、その両端はスプール７と同様にカートリッジ本体５の端面から露呈し、各々キー溝１２を有している。
【００１８】
カートリッジ本体５内には特開平６−２６６０５３号公報で知られるようなフイルム送り出し機構が内蔵されている。そして、キー溝１２を介して遮光蓋１１を開くことによってスプール７の回転ロックが解除され、キー溝９を介してスプール７を図中時計方向に回転させることによって、写真フイルム６がポート口を通して頭出しされる。
【００１９】
写真フイルム６の背面側全面には透明な磁気記録層が設けられている。この磁気記録層は、カメラやプリンター等に設けられた磁気記録装置によって、撮影データやプリント処理に必要なラボデータ等の記録に用いられる。また、メーカーが写真フイルム６の種別やフイルムＩＤナンバーの記録に利用することも可能である。
【００２０】
また、カートリッジ本体５のポート部１０の近傍には、カートリッジ本体５のＩＤナンバーを表すバーコードラベル（図示せず）が貼付されている。このＩＤナンバーは、カートリッジ本体５に収納された写真フイルム６のＩＤナンバーと共通のもので、カートリッジ本体５と写真フイルム６とを一対一に対応づける。写真フイルム６のＩＤナンバーは、写真フイルム６の製造時にサイドプリントにより潜像としてバーコード記録されるが、これとともに上記のように磁気記録しておいてもよい。
【００２１】
符号１４は、写真フイルム６の種別や撮影可能枚数がバーコードで記録されたディスクを示す。このディスク１４はスプール７と一体に回転し、カメラあるいはプリンタに設けられたバーコードリーダーによってデータ内容が読み取られる。
【００２２】
カートリッジ本体５には、ＩＣメモリ１６を含むメモリ基板１７が組み込まれている。ＩＣメモリ１６には記憶保持用に電源を要しないＥＥＰＲＯＭが用いられるが、メモリ基板１７あるいはカートリッジ本体５の適宜個所にバックアップ電源の組み込みができれば、他のメモリを用いることも可能である。
【００２３】
ＩＣメモリ１６は、周知のワイヤボンディング手法によってメモリ基板１７に電気的に接続された後、エポキシ樹脂によりメモリ基板１７と一体化される。メモリ基板１７の一部には複数の接片を放射状に並べて複数の接点が形成された接点群１８が設けられており、スプール７の端部を取り囲むようにカートリッジ本体５の端面に露呈している。この接点群１８は、メモリ基板１７に組み付けられたＩＣメモリ１６と、このＩＣメモリ１６にデータの書込みや読出しを行う外部機器との接続に利用される。なお、ＩＣメモリ１６には、例えばメモリ容量１〜２ｋｂｉｔ程度のローコストのものが用いられているが、記録するデータの内容やコストとの兼ね合いでさらにメモリ容量の大きなものを利用することも可能である。
【００２４】
このフイルムカートリッジ２は、レンズ付きフイルムユニットだけではなく一般のカメラ用にも出荷されることになるが、レンズ付きフイルムユニット用に分けられたものについては、予めＩＣメモリ１６の所定のアドレス域にＬＦ識別データと製造年月日データとが基礎データとして書き込まれる。ＬＦ識別データは、このフイルムカートリッジ２がレンズ付きフイルムユニットに装填して用いられたことを表し、また製造年月日データは、詳しくは後で述べるように現像所で撮影日時をプリント写真に書き込む際に利用される。
【００２５】
図２にレンズ付きフイルムユニットの構成を概略的に示す。レンズ付きフイルムユニットは、ボディ基部２０，露光ユニット２１，ストロボユニット２２，前カバー２３，後カバー２４と、ボディ基部２０に装填されるフイルムカートリッジ２とからなるユニット本体と、図示しないがユニット本体の外側を各操作部を露出させて装飾的に覆う紙箱とから構成されている。ボディ基部２０には、暗箱部２６の両側にカートリッジ収納室２７，フイルムロール室２８が一体に形成され、メーカー段階でそれぞれカートリッジ本体５と写真フイルム６がロール状に巻かれたフイルムロール２９とが装填される。
【００２６】
露光ユニット２１は、従来のレンズ付きフイルムユニットと同様に、シャッタチャージ機構，フイルム巻止め機構，カウンタ送り機構，シャッタ駆動機構及びシャッタ羽根，撮影レンズを含む他、ファインダ系を構成する対物レンズ３０と接眼レンズ３１とが組み込まれている。図３に示すように、カートリッジ収納室２７の上部には巻上げダイヤル３２が取り付けられ、その下面には一体に設けた巻上げ軸３３の先端がフイルムカートリッジ２のスプール７の上端キー溝９に係合するようになっている。
【００２７】
巻上げダイヤル３２を図中反時計方向に回動操作すると、スプール７の回転によって写真フイルム６がカートリッジ本体５に巻き込まれる。写真フイルム６にはフイルム１コマ間隔でパーフォレーション３５が２個ずつ形成されており、露光ユニット２１に組み込まれた２歯スプロケットがこれらに係合することに応答してフイルム巻止め機構が作動して巻上げダイヤル３２にロックをかける。この間のフイルム給送に連動してシャッタチャージが行われる。
【００２８】
そして、シャッタレリーズ操作により撮影が行われ、以後これを繰り返すことによって写真フイルム６の後端側（スプール７に係止された側）から先端側に向かって順次に撮影が行われるようになる。なお、短い間隔で並んだ２個のパーフォレーション３５をもとにしてフイルム１コマ送り制御が行われるが、実際の撮影コマは仮想線３７で示すようにパーフォレーション３５の長い間隔に合わせた位置に露光されるように決められている。
【００２９】
ストロボユニット２２は、ストロボ回路基板３９とこれに組み付けられたストロボ発光部４０とから構成されている。ストロボ回路基板３９にはストロボ発光用のメインコンデンサ４１，シンクロスイッチ４２，電源電池（単３電池）４３等が組み付けられている。ボディ基部２０の右端部に組み込まれたメインスイッチ４４が、前カバー２３の操作ボタン４５の押圧によってストロボ回路基板３９のスイッチパターン部４６に接触すると、メインコンデンサ４１への充電が行われる。
【００３０】
シンクロスイッチ４２は、露光ユニット２１に組み込まれたシャッタ羽根が開放した瞬間にオンする。シンクロスイッチ４２のオン信号はストロボを発光させるタイミング信号として用いられるとともに、１回の撮影が行われたことの検知信号としても用いられる。
【００３１】
上記ストロボ回路基板３９にはメインコンデンサ４１等からなるストロボ回路の他に、データ記録回路である記録制御ＩＣ４８と、反射型のフォトセンサ４９とが組み付けられている。記録制御ＩＣ４８は、ＣＰＵの他にプログラムメモリ，クロック発振器及びカウンタを内蔵しており、電源電池４３が装填され、ストロボ回路基板３９に組み込まれた昇圧回路からの給電を受けた時点（ＩＣメモリ１６に記録された製造年月日）からクロックパルスの個数をカウンタで計数する。記録制御ＩＣ４８には、さらにシンクロスイッチ４２のオン信号と、ストロボ撮影を行ったか否かの信号とが入力される。フォトセンサ４９は発光部と受光部とを有しており、その前面に高反射板が位置しているか否かを検知し、その検知信号を記録制御ＩＣ４８に入力する。
【００３２】
ストロボ回路基板３９には、ストロボ発光部４０の側方からカートリッジ収納室２７に向けて伸ばされた延長部５１が一体に形成されている。この延長部５１は、ファインダの対物レンズ３０の前方を横切るため、ファインダの機能を損ねないための開口５１ａが形成されている。延長部５１の端部の背面側には、記録制御ＩＣ４８からの撮影データを出力するデータ出力部であるプラグ５２が組み付けられている。このプラグ５２には、背面側に向かって複数本の接続ピン５２ａが立設されている。
【００３３】
上記プラグ５２は、カートリッジ収納室２７の前面外壁に配置されたデータ入力部であるコネクタ５４に接続される。このコネクタ５４は、ストロボ回路基板３９とＩＣメモリ１６とを接続するデータ中継手段に含まれるもので、図１に示すように、カートリッジ収納室２７の上部に取り付けられるプリント基板５５に組み付けられている。なお、コネクタ５４の接続部分はボディ基部２０の前面側を向いているので、ストロボ回路基板３９をボディ基部２０へ組み付ける際の移動を利用して、プラグ５２とコネクタ５４とを接続することができる。
【００３４】
プリント基板５５にはコネクタ５４の他に、複数個の金属接片５６が組み付けられている。これらの金属接片は、プリント基板５５の中央部に巻上げダイヤル３２との干渉を避けるために形成された開口５５ａ内に放射状に突出するように組み付けられている。プリント基板５５には、各金属接片５６とコネクタ５４との間を電気的に接続する配線パターンが形成されており、穴５５ｂ，５５ｃにカートリッジ収納室２７の上部に形成されたピン５７ａ，５７ｂが挿入されて位置決めされ、爪部材５８ａ，５８ｂによって着脱自在に固着される。
【００３５】
カートリッジ収納室２７の上部には、巻上げダイヤル３２を支持するスリーブ６０が設けられており、このスリーブ６０の外周には金属接片５６と同数の開口６１が形成されている。複数個の金属接片５６は、開口６１からカートリッジ収納室２７内に差し込まれ、カートリッジ本体５の接点群１８にそれぞれ接触される。各金属接片５６は円弧状に湾曲されて弾性を付与されているので、確実に接点群１８に当接することができる。このようにデータ中継手段は、コネクタ５４と金属接片５６とを介して、ストロボ回路基板３９の記録制御ＩＣ４８とＩＣメモリ１６とを接続する。
【００３６】
前述のスリーブ６０には、開口６１を光密に塞ぐためのキャップ６２が被せられる。このキャップ６２の中央には、巻上げダイヤル３２の巻上げ軸３３が挿通される開口６２ａが形成されており、下面にはプリント基板５５の開口５５ａ内に挿入される突条６３が形成されている。この突条６３は、金属接片５６に当接して下方に押圧する作用も有しており、金属接片５６の接点群１８への接触をより確実なものとする。
【００３７】
なお、フイルムカートリッジ２は、これまでの１３５サイズのフイルムパトローネと異なり、スプール７の駆動の他に遮光蓋１１も外部駆動する必要がある。したがって、カメラやレンズ付きフイルムユニットに装填したときに、キー溝９及びキー溝１２の双方に外部からの駆動部材を正しく係合させなくてはならない。このため、カートリッジ本体５自体はカートリッジ収納室２７内で浮かせておき、スプール７の両端でカートリッジ本体５の位置決めを行い、スプール７を中心にした回転方向ではカートリッジ本体５に自由度を与えるシェルフロートと称される形で保持するようにしてある。このように、シェルフロートによりカートリッジ本体５をカートリッジ収納室２７内に保持することによって、さらに遮光蓋１１のキー溝１２に開閉部材を係合させることが容易となる。
【００３８】
シェルフロート方式でカートリッジ本体５の装填位置を決めた場合、上記のようにメモリ基板１６の接点群１８をスプール７の端部を取り囲む位置に設けておくと、金属接片５６と接点群１８との接触を良好に保つことが可能となり、しかも遮光蓋１１のキー溝１２と開閉部材との係合時にカートリッジ本体５を自由に回動させることができる。もちろん、このときの回動量は誤差範囲内のわずかなものであるから、金属接片５６が接点群１８の他の個所に誤接続されることはない。
【００３９】
前カバー２３はボディ基部２０の前面を覆うように組み付けられる。前カバー２３の前面には、撮影レンズ，ストロボ発光部４０を前面に露呈させる開口の他、ファインダ系の視野範囲を規定する対物窓６５が形成されている。対物窓６５のアスペクト比はハイビジョンＴＶ画面と同じ９：１６となっており、このアスペクト比が写真フイルム６の標準アスペクト比となっている。
【００４０】
対物窓６５の背後にはマスク板６６がスライド自在に組み込まれている。つまみ６７を操作してこのマスク板６６を対物窓６５の背後に挿入すると、ファインダ視野範囲がアスペクト比が約１：２．８のパノラマ範囲に制限される。マスク板６６をこの位置に移動させると、これと一体に設けられた信号板６８がフォトセンサ４９の前面に位置する。信号板６８の裏面には高反射材が設けられているため、シンクロスイッチ４２がオンした瞬間にフォトセンサ４９の出力を監視することによって、マスク板６６を標準位置，パノラマ位置のいずれにセットして撮影を行ったを識別することができる。
【００４１】
なお、マスク板６６に代えて他の視野範囲切替え機構を用いれば、標準視野範囲，パノラマ視野範囲の他に、従来のＬプリントサイズのアスペクト比に対応した視野範囲を加えてもよく、この場合にも撮影時にその切替え操作部材のセット位置を電気的あるいは光電的に検知し、選択された視野範囲を識別することが可能である。
【００４２】
前カバー２３の上面にはシャッタボタン７０が一体に設けられている。シャッタチャージの完了後にシャッタボタン７０を押圧すると、露光ユニット２１に組み込まれたシャッタ機構が作動して撮影が行われる。後カバー２４は、ボディ基部２０の背面及び底面を光密に覆う。カートリッジ収納室２７の底面を覆う底蓋７１にはボス７２が突設され、図３に示すようにスプール７の下端を支持してカートリッジ本体５をシェルフロート方式で保持する。
【００４３】
次に、上記レンズ付きフイルムユニットの作用について説明する。レンズ付きフイルムユニットの組み立ては、パレット上にボディ基部２０が位置決めされた状態で一定速度で搬送され、この搬送途中で各部品がボディ基部２０に組み付けられていく。ボディ基部２０には、最初に暗箱部２６の前面側に露光ユニット２１が爪係合によって着脱自在に組み付けられる。次いで、カートリッジ収納室２７の上部にデータ中継手段であるプリント基板５５が組み付けられる。
【００４４】
プリント基板５５は、穴５５ｂ，５５ｃにカートリッジ収納室２７の上面に形成されたピン５７ａ，５７ｂが挿入されて位置決めされ、端縁の２か所に爪部材５８ａ，５８ｂが係合されることでカートリッジ収納室２７の上部に容易に固着される。また、プリント基板５５に組み付けられた複数の金属接片５６は、スリーブ６０の周囲に形成された開口６１に挿入され、カートリッジ収納室２７内に突出される。更にコネクタ５４は、カートリッジ収納室２７の前面側に接続部分を前方に向けて配置される。
【００４５】
ボディ基部２０には、プリント基板５５が組み付けられた後にキャップ６２と巻上げダイヤル３２とが組み付けられる。キャップ６２は、プリント基板５５の上からスリーブ６０に被せられ、下面の突条６３がプリント基板５５の開口５５ａに挿入される。このキャップ６２の上から、開口６２ａに巻上げダイヤル３２の巻上げ軸３３が挿入される。なお、キャップ６２はボディ基部２０やプリント基板５５に係止しないが、上部から巻上げダイヤル３２に押さえられるので、プリント基板５５から浮き上がることはなく、カートリッジ収納室２７内の遮光を損ねることはない。
【００４６】
更に、カートリッジ本体５の取出し時に遮光蓋１１を自動的に閉じる機構を組み付ける場合には、プリント基板５５及びキャップ６２の組付け前や組付け後、更には一緒に組み付けるようにしてもよい。
【００４７】
次に、ストロボユニット２２がフィルムロール室２８の前面側に爪係合によって着脱自在に組み付けられる。このストロボユニット２２の組み付けの際に、ストロボ回路基板３９の延長部５１に組み付けられたプラグ５２がコネクタ５４に嵌合され、接続ピン５２ａと金属接片５６とが電気的に接続される。このように、プラグ５２とコネクタ５４とが嵌合される方向は、ストロボユニット２２のボディ基部２０への組み付け方向と同一であるため、従来のストロボユニット自動組付け装置に延長部５１を押圧する手段を設ければ、容易に従来の装置を流用することができる。
【００４８】
機能的なユニット部品が全て組み付けられたボディ基部２０の前面には、マスク板６６がスライド自在に組み付けられた前カバー２３が固着される。また、カートリッジ収納室２７にはカートリッジ本体５が、フィルムロール室２８にはフイルムロール２９が装填され、暗箱部２６の背後には１コマ目の写真フイルム６が配置される。カートリッジ本体５は、上部から突出された巻上げ軸３３がスプール７のキー溝９に係合され、プリント基板５５に組み付けられた各金属接片５６がメモリ基板１７の接点群１８にそれぞれ接触される。これにより、ＩＣメモリ１６と記録制御ＩＣ４８とが電気的に接続されたことになる。
【００４９】
カートリッジ本体５が装填されたボディ基部２０の背面には、後カバー２４が固着され、底蓋７１等によってカートリッジ収納室２７とフイルムロール室２８との底面が閉じられる。カートリッジ本体５は、ボス７２によってシェルフロート方式でカートリッジ収納室２７内に支持される。後カバー２４は、レンズ付きフイルムユニット内の遮光能の向上とフイルムカートリッジ２の詰替え防止のために、適宜個所がボディ基部２０に溶着される。
【００５０】
完成したユニット本体には、底面側から電源電池４３がセットされる。これにより、記録制御ＩＣ４８でカウンタによるクロックパルスの計数が開始される。また、ユニット本体の外側に紙箱が被せられてレンズ付きフイルムユニットが完成し、各種機能検査等を経てメーカーから出荷される。
【００５１】
こうして製造されたレンズ付きフイルムユニットは一般ユーザーが購入して撮影に利用される。撮影操作が行われると、ストロボ撮影の有無にかかわらず１回の撮影ごとにシンクロスイッチ４２が１回オンする。このオン信号が記録制御ＩＣ４８に入力されると、記録制御ＩＣ４８はストロボ撮影が行われたか否か、ファインダ系が標準視野範囲とパノラマ視野範囲とのいずれに設定されていたかを識別する。ストロボ撮影の有無は、メインコンデンサ４１が放電されたか否かにより電気的に識別することができ、また視野範囲のセット位置はフォトセンサ４９の出力により識別することができる。
【００５２】
記録制御ＩＣ４８は、ストロボ撮影を行ったか否かを表すストロボデータを露出データとして、またファインダ視野範囲の識別情報をプリントフォーマットデータとして認識する。これらの撮影データと記録制御ＩＣ４８内のカウンタで計数されているクロックパルスの個数データとは、各撮影コマごとにストロボ回路基板３９の延長部５１，プラグ５２，コネクタ５４，プリント基板５５，金属接片５６，接点群１８を介してＩＣメモリ１６に記録される。
【００５３】
使用済みになったレンズ付きフイルムユニットは、そのままの状態でユーザーからＤＰＥ取扱店に渡される。ＤＰＥ取扱店では、プリント依頼を受けたレンズ付きフイルムユニットごとにバーコードシールを貼付する。このバーコードシールにはＤＰＥ取扱店ごとのＤＰＥコードと引き受けナンバーが表されており、現像所ではこれを目安にして現像，プリント処理を行い、またその後の納品処理に利用することができる。
【００５４】
現像所では、ＤＰＥ取扱店から送られてきたレンズ付きフイルムユニットからフイルムカートリッジ２を取り出すが、その前に巻上げダイヤル３２を回転させて全ての写真フイルム６をカートリッジ本体５内に巻込み、その後に専用の治具を用いて遮光蓋１１を閉じる。なお、遮光蓋１１の閉じ作業を効率化するために、フイルムカートリッジ２をレンズ付きフイルムユニットから取り出す際の底蓋７１の開放操作に連動して、自動的に遮光蓋１１を閉じるような機構をレンズ付きフイルムユニットに組み込んでおくことも可能である。
【００５５】
取り出されたフイルムカートリッジ２は、ＩＣメモリ１６に記録されている撮影データが写真フイルム６の磁気記録層に転記される。写真フイルム６は、カートリッジ本体５からいったん分離され、現像処理とプリント処理とが施されてから再びカートリッジ本体５に収納され、プリント写真とともにユーザーに返却される。
【００５６】
フイルムカートリッジ２が取り出されたレンズ付きフイルムユニットは、メーカーに回収される。メーカーではレンズ付きフイルムユニットの分解ラインにおいてボディ基部２０からストロボユニット２２，露光ユニット２１，プリント基板５５が取り外される。ストロボユニット２２は、ストロボ回路基板３９から爪部材の係合を解除し、プラグ５２をコネクタ５４から抜き取ることにより容易に取り外すことができる。プリント基板５５は、巻上げダイヤル３２とキャップ６２とをカートリッジ収納室２７の上部から取り外し、爪部材５８ａ，５８ｂの係合を解除することにより容易に取り外すことができる。ストロボユニット２２，露光ユニット２１，プリント基板５５は、検査を経て再利用される。
【００５７】
なお、上記実施形態では、プラグとコネクタとを用いて、ストロボ回路基板とＩＣメモリとを接続したが、さらにコストダウンを図る場合には、ストロボ回路基板の延長部に記録制御ＩＣにつながる銅箔部を露出させ、プリント基板に複数個の金属接片で接点部を形成し、これらの銅箔部と接点部とを接触させるようにしてもよい。また、レンズ付きフイルムユニットに加えられる振動や衝撃等で、銅箔部と接点部との当接が外れないように、カートリッジ収納室の側面にプリント基板と延長部とを係止する爪部材を設けるとよい。
【００５８】
さらに、プラグ（データ出力部）とコネクタ（データ入力部）との間の撮影データの授受は、接続ピンとコネクタ内の金属接片との直接的な接触による電気的接続によって行ったが、例えば、記録制御ＩＣによって発光されるＬＥＤと、このＬＥＤの発光状態を検知してカートリッジ本体のＩＣメモリに書き込む受光素子とからデータ入出力部を構成してもよい。この場合には、受光素子の側にも電源が必要となるが、プラグとコネクタのように両者を接続する必要がないので、レンズ付きフイルムユニットの組み立て及び分解時の工数が削減できる。
【００５９】
また、プリント基板をカートリッジ収納室内に組み込み、コネクタをカートリッジ収納室の側面に形成した開口から外部に露呈させるようにしてもよい。この場合には、カートリッジ収納室の上面に金属接片を挿入する開口は必要なくなる。更に、カートリッジ本体に組み込まれたＩＣメモリの接点群がカートリッジ本体の下側の端面に露呈される場合には、ストロボ回路基板の下部をカートリッジ収納室側に延長させてもよい。この場合には、電源電池を保持する金属接片を延長部に組み付けることができる。また、底蓋の開放に連動して遮光蓋を閉じ位置に回動させる機構を設ける場合には、これをプリント基板に組み付けておき、プリント基板とともに再利用することもできる。
【００６０】
上記実施形態では、記録制御ＩＣとして１チップのマイクロコンピュータを用い、プログラムに基づいてメモリＩＣへのデータ記録を制御しているが、この制御を各種のロジック回路等で構成した記録制御ＩＣで行うこともできる。以下に、この例について説明する。なお、以下に説明する以外の部分については、上記実施形態と同様であり、同じ構成部材については同符号を付して説明する。
【００６１】
レンズ付きフイルムユニット及びＩＣメモリ付きのフイルムカートリッジのシステム概略を示す図４において、レンズ付きフイルムユニットのユニット本体８０は、電源の電池４３と、この電池４３を電源として作動する回路ユニット８１と、ストロボ発光部４０に内蔵されたＸｅ管（ストロボ放電管）８２と、シンクロスイッチ４２，ファインダ系の選択された視野範囲に応じてＯＮ，ＯＦＦされるモードスイッチ８３等を内蔵している。また、ユニット本体８０には、ＩＣメモリ８５を内蔵したフイルムカートリッジ２が装填される。
【００６２】
回路ユニット８１は、記録制御ＩＣ９０，水晶発振子９１，ストロボ回路９２等から構成されており、記録制御ＩＣ９０は、ストロボ撮影を行ったか否かを表すストロボ情報とファインダ視野範囲のファインダ情報は識別データとして、また製造時から現在までの累計時間を累計時間データとしてＩＣメモリ８５に記録する。
【００６３】
回路ユニット８１とその周辺回路の詳細な構成を示す図５、及び記録制御ＩＣ９０の内部構成を示す図６において、電池４３は、抵抗９５を介して駆動電圧Ｖ３（例えば約１Ｖ）を記録制御ＩＣ９０のＶＣＣ１端子に給電し、また電源電圧ＶＣＣ（１．５Ｖ）をＶｃｃ２端子に直接に給電する。記録制御ＩＣ９０は、ＶＣＣ１端子を介して給電される駆動電圧Ｖ３によって常時作動状態とされて、ＩＣメモリ８５へのデータ書き込み制御等を行う。また、ＶＣＣ２端子に給電される電源電圧ＶＣＣは、記録制御ＩＣ９０内で駆動電圧ＶＤＤ（３Ｖ）に昇圧され、この駆動電圧ＶＤＤが記録制御ＩＣ９０からＩＣメモリ８５に給電される。
【００６４】
モードスイッチ８３は、ファインダの視野範囲を標準視野範囲とパノラマ視野範囲とに切り換えるマスク板に連動してＯＮ，ＯＦＦされるスイッチであって、マスク板がパノラマ視野範囲に切り換えられた時にＯＮとなり、これをパノラマ（ＰＡＮＯＲＡＭＡ）  信号として、記録制御ＩＣ９０に送る。ストロボ回路９２は、メインコンデンサ，充電回路，トリガ回路等を備えており、充電スイッチ４５がオンとなるとメインコンデンサを充電し、シンクロスイッチ４２がＯＮとなった時に発生するシンクロ（ＳＹＮＣ）  信号に応答してＸｅ管８２にトリガ電圧を印加してストロボ発光を行う。また、このストロボ回路９２には、ストロボ識別スイッチ９６が内蔵されている。このストロボ識別スイッチ９６は、例えば半導体スイッチであって、ストロボ発光が行われると、一定時間の間だけＯＮとされ、ストロボ（ＳＴＲＯＢＥ）信号を記録制御ＩＣ９０に送る。
【００６５】
記録制御ＩＣ９０は、発振回路１００，時間発生回路１０１，時間計測回路１０２，書き込み制御回路１０３，シリアル／パラレル変換回路（以降、Ｐ／Ｓ変換回路という）１０４，倍電圧回路１０５，イニシャライズ回路１０６から構成されている。発振回路１００は、水晶発振子９１が接続されており、この水晶発振子９１を用いて一定周期のクロック（ＣＬＫ）を時間発生回路１０１に送る。
【００６６】
時間発生回路１０１は、多段の非同期バイナリカウンタで構成されており、発振回路１００からのクロックを分周して１時間毎に時間パルス（ＨＰ）を発生し、これを時間計測回路１０２に送る。時間計測回路１０２は、多段のバイナリカウンタで構成され、時間パルス数を累積時間データとしてカウントすることで、累積時間を計測する。この時間計測回路１０２は、製造時に外部からリセット（ＲＳＴ）信号が入力されることにより、計測している累積時間データが「０」にリセットされ、例えば、最大で３２７６８時間（約３．７年分）を計測することができるようにされている。時間計測回路１０２で計測された累積時間データは、Ｐ／Ｓ変換回路１０４にパラレルに送られる。なお、リセット信号は、時間発生回路１０１，書き込み制御回路１０３にも入力され、これらの回路１０１，１０３の製造時にリセットされて初期化される。
【００６７】
書き込み制御回路１０３には、フイルムカートリッジ２のＩＣメモリ８５へのデータの書き込み制御を行うものであって、シンクロ信号，パノラマ信号，ストロボ信号が入力される。この書き込み制御回路１０３は、シンクロ信号の入力から所定時間の経過後にパノラマ信号とストロボ信号の有無を調べ、これらの有無に応じた識別データをＰ／Ｓ変換回路１０４に送る。また、書き込み制御回路１０３は、ＩＣメモリ８５にデータ書き込みを行う際に、倍電圧回路１０５を作動させる。なお、この書き込み制御回路１０３は、シンクロ信号の入力により、例えば、ラッチ信号をＰ／Ｓ変換回路１０４に送り、その時点の時間計測回路１０２の累積時間データをＰ／Ｓ変換回路１０４にセットする。
【００６８】
倍電圧回路１０５は、書き込み制御回路１０３でその作動が制御されて、ＩＣメモリ８５へデータ書き込みを行う時にだけ作動状態にされる。この倍電圧回路１０５は、電池４３とＶＣＣ２  端子を介して接続されており、作動時には電池４３からの給電を受けて、電源電圧ＶＣＣをＩＣメモリ８５の駆動電圧ＶＤＤに変換し、ＩＣメモリ８５に給電する。これにより、ＩＣメモリ８５へのデータ書き込みを行う時にだけ、倍電圧回路１０５が作動され、電池４３の電力を有効に利用できるようにされている。
【００６９】
Ｐ／Ｓ変換回路１０４には、時間計測回路１０２からの累積時間データと、書き込み制御回路１０３からの識別データとがそれそれパレラルに入力される。このＰ／Ｓ変換回路１０４は、パラレルな累積時間データと識別データとをそれぞれシリアルデータ（ＳＤＡ）に変換して、ＩＣメモリ８５に送る。なお、書き込み制御回路１０３には、発振回路１００からのクロックを分周して得られる所定周期のクロックが入力されており、書き込み制御回路１０３は、このクロックをＩＣメモリ８５に同期クロック（ＳＣＬ）として送出し、Ｐ／Ｓ変換回路１０４は、同期クロックに同期させてシリアルデータを１ビットずつＩＣメモリ８５に送る。
【００７０】
イニシャライズ回路１０６は、外部から初期化（ＩＮＩＴ）信号を入力することで、ユニット本体８０に装填されたフイルムカートリッジ２のＩＣメモリ８５の内容を初期化する。この初期化はレンズ付きフイルムユニットの製造時に行われる。
【００７１】
ＩＣメモリ８５は、３Ｖ（＝ＶＤＤ）の電圧で作動されるＥＥＰＲＯＭが用いられており、同期クロックに同期して入力されるシリアルな累積時間データ及び識別データを１ビットずつラッチして、所定のアドレスにそのデータを書き込む。なお、アドレスは、書き込み制御回路１０３に内蔵したアドレスカウンタで撮影コマ及びデータの種類毎にカウントされる。そして、このアドレスカウンタの内容がＰ／Ｓ変換回路１０４を介してシリアルにＩＣメモリ８５に送られ、ＩＣメモリ８５でデコードすることで、アドレスが指定される。
【００７２】
また、回路ユニット８１にはＩ／Ｆポート（図示省略）が設けられており、このＩ／Ｆポートに外部のコンピュータ１１０のインターフェース回路（Ｉ／Ｆ）１１０ａが接続される。そして、このコンピュータ１１０を操作することで、記録制御ＩＣ９０へのリセット信号及びイニシャライズ信号の入力と、ＩＣメモリ８５の内容の読み出し及び書き込みを行うことができる。製造時には、このコンピュータ１１０で初期化された時点の製造年月日と、時間計測回路１０２がリセットされた時点の時間の基礎データがＩＣメモリ８５の所定アドレスに書き込まれる。
【００７３】
上記構成の作用について説明する。図７はレンズ付きフイルムユニットの製造からプリント写真の作成までの工程を概略的に表している。まず、工場でレンズ付きフイルムユニットのユニット本体が製造されるとともに、ＩＣメモリ８５がフイルムカートリッジ２のカートリッジ本体５内に組み付けられ、このフイルムカートリッジ２がユニット本体８０に装填される。また、電池４３が装着され、回路ユニット８１と接続される。
【００７４】
電池４３を装着することで、この電池４３からの給電により記録制御ＩＣ９０が作動状態となり、発振回路１００が一定周期のクロックを発生し、このクロックが時間発生回路１０１に入力され、時間計測回路１０２が１時間経過毎に時間発生回路１０１から発生する時間パルスで累積時間データをカウントアップするようになる。次に、回路ユニット８１のＩ／Ｆポートにコンピュータ１１０が接続され、このコンピュータ１１０から記録制御ＩＣ９０にイニシャライズ信号が入力される。これにより、記録制御ＩＣ９０内のイニシャライズ回路が作動して、ユニット本体８０内に装填されたフイルムカートリッジ２のＩＣメモリ８５が初期化され、ＩＣメモリ８５にはデータが記憶されていない状態となる。
【００７５】
ＩＣメモリ８５を初期化した後に、コンピュータ１１０は、リセット信号を記録制御ＩＣ９０に送る。このリセット信号の入力により、時間発生回路１０１，時間計測制御回路１０２，書き込み制御回路１０３がそれぞれ初期化される。続いて、コンピュータ１１０は、記録制御ＩＣ９０のＩ／Ｆポートを介して、ＩＣメモリ８５の所定アドレスにリセット信号を送出した時点の年月日と時間（時分秒）を基礎データとして書き込む。このようにすることで、時間発生回路１０１は、リセット信号が入力された時点から１時間毎に時間パルスを時間計測回路１０２に送出するようになり、この時間計測回路１０２は、リセット信号が入力された時点、すなわちＩＣメモリ８５に書き込まれた基礎データに示される時点からの時間を１時間毎に計測するようになる。
【００７６】
このようにして、基礎データの書き込みが終了したユニット本体８０（レンズ付きフイルムユニット）は、所定の検査を受けた後に、工場から出荷され、一般ユーザに渡る。一般ユーザの使用時には、撮影では、撮影者は、マスク板を操作してファインダ視野を標準視野範囲またはパノラマ視野範囲のいずれかに切り換えて撮影を行う。マスク板が標準視野範囲の位置に移動された場合には、モードスイッチ８３はＯＦＦとなり、パノラマ信号を発生せず、またパノラマ視野範囲の位置に移動された場合には、モードスイッチ８３はＯＮとなって、パノラマ信号が記録制御ＩＣ９０に入力された状態となる。そして、撮影が行われると、ストロボ発光の有無にかかわらずシンクロスイッチ４２がＯＮとされ、シンクロ信号が記録制御ＩＣ９０の書き込み制御回路１０３と、ストロボ回路９２とに入力される。
【００７７】
ここで、ストロボ回路９２は、メインコンデンサが充電されていると、トリガ電圧をＸｅ管８２に印加してストロボ発光を行う。そして、このストロボ発光が行われるとストロボ識別スイッチ９６がＯＮとなり、一定時間だけストロボ信号が記録制御ＩＣ９０に入力される。また、ストロボ発光が行われなかった場合には、ストロボ識別スイッチ９６がＯＦＦとされたままであり、ストロボ信号が発生しない。なお、ストロボ識別スイッチ９６と同様にモードスイッチ８３についても一定時間だけＯＮとなるようにしてもよい。
【００７８】
書き込み制御回路１０３は、シンクロ信号が入力されると、まず倍電圧回路１０５を作動状態にして、電池４３からの電源電圧ＶＣＣを駆動電圧ＶＤＤに昇圧し、、ＩＣメモリ８５への駆動電圧ＶＤＤの給電を開始する。この給電により、ＩＣメモリ８５がデータ書き込み可能な状態になる。また、ストロボ信号及びパノラマ信号の入力の有無に基づいて、例えば、ラッチ回路に識別データをラッチする。もちろん、この識別データのラッチはシンクロ信号の入力から短時間で行われる。
【００７９】
さらに、書き込み制御回路１０は、ラッチ信号をＰ／Ｓ変換回路１０４に送り、この時点の時間計測回路１０２の累積時間データをＰ／Ｓ変換回路１０４にセットする。この後に、書き込み制御回路１０３が同期クロックの送出を開始する。これにより、Ｐ／Ｓ変換回路１０４は、同期クロックに同期させたタイミングでセットされた累積時間データをシリアルデータに変換して、ＩＣメモリ８５に送出する。そして、ＩＣメモリ８５は、入力された累積時間データを、撮影された撮影コマの累積時間データに対応するアドレスに書き込む。
【００８０】
Ｐ／Ｓ変換回路１０４が累積時間データの送出を完了すると、次に、書き込み制御回路１０３は、ラッチした識別データをＰ／Ｓ変換回路１０４にセットし、この後に、再び同期クロックを送出を開始する。これにより、Ｐ／Ｓ変換回路１０４から識別データのシリアルデータがＩＣメモリ８５に送られ、この識別データが撮影された撮影コマの識別データに対応するアドレスに書き込まれる。このようにして、ＩＣメモリ８５には、基礎データで表される時点から撮影時点までに計測された累積時間の累積時間データと、ストロボ発光の有無、ファインダ視野の情報からなる識別データが書き込まれる。
【００８１】
識別データの書き込み完了後には、書き込み制御回路１０３は倍電圧回路１０５を不作動にし、電池４３の電力消費を低減する。以降同様にして、撮影が行われる毎に累積時間データと識別データとがＩＣメモリ８５に書き込まれる。
【００８２】
使用済みになったレンズ付きフイルムユニットは、そのままの状態でユーザーからＤＰＥ取扱店あるいは現像所等に出される。ＤＰＥ取扱店では、レンズ付きフイルムユニットからフイルムカートリッジ２を取り出して、所定のデータ読み出し装置で、基礎データ及び撮影コマ毎の累積時間データと識別データとをＩＣメモリ８５から読み出す。そして、識別データは、現像時またはプリント時の露光補正やプリントフォーマットの決定に利用される。また、累積時間データは、基礎データに表される年月日及び時間に、撮影コマ毎に累積時間データで表される時間を加算することで、撮影年月日，時間が算出される。
【００８３】
得られた識別データや撮影年月日，時間は、写真フイルム６の現像前あるいは後に、写真フイルム６の磁気記録層に磁気記録されたり、ＩＣメモリ８５に書き込まれる。そして、現像済の写真フイルム６は、再びカートリッジ本体５に収納されて、顧客に返却される。また、算出顧客の希望に応じて、得られた撮影年月日がプリント写真に焼き付けられる。
【００８４】
【発明の効果】
以上説明したように、本発明のレンズ付きフイルムユニットは、データ記録回路が設けられたストロボ回路基板の一部をカートリッジ収納室の近傍まで伸ばし、この延長部のデータ出力部から、ＩＣメモリに接続されたデータ中継手段に撮影データを入力するようにしたので、リード線を用いて配線を行う必要がなく、自動組立てに適しているので製造コストを抑えることができる。
【００８５】
また、データ中継手段をの構成をプリント基板等からなる簡素なものとしたので低コストであり、更にレンズ付きフイルムユニットへの着脱を爪係合によって容易に行えるので、故障等も少なく再利用に適している。
【００８６】
更に、データ中継手段をカートリッジ収納室の上部に組み付けたので省スペースに組み込むことができ、レンズ付きフイルムユニットのサイズや携帯性の良さを維持できる。また、データ出力部とデータ入力部との接続方向を、ストロボ回路基板のレンズ付きフイルムユニットへの組み付け方向と同一にしたので、ストロボ回路基板の着脱時の移動を利用して、データ出力部とデータ入力部とを接続することができ、作業効率を向上できる。
【図面の簡単な説明】
【図１】本発明のレンズ付きフイルムユニット及びカートリッジ収納室近傍の構成を示す外観斜視図である。
【図２】ユニット本体の構成を示す分解斜視図である。
【図３】フイルムカートリッジ収納時のカートリッジ収納室の要部断面図である。
【図４】レンズ付きフイルムユニット及びＩＣメモリ付きフイルムカートリッジのシステム構成を示す概略図である。
【図５】回路ユニットの構成を示す概略図である。
【図６】記録制御ＩＣの内部構成を示す概略図である。
【図７】レンズ付きフイルムユニットの製造及び処理工程を示すフローチャートである。
【符号の説明】
２  フイルムカートリッジ
５  カートリッジ本体
６  写真フイルム
７  スプール
１１  遮光蓋
１６  ＩＣメモリ
１７  メモリ基板
１８  接点群
３９  ストロボ回路基板
５１  延長部
５２  プラグ
５４  コネクタ
５５  プリント基板
５６  金属接片
【図１】
0003567040.tif 000002
【図２】
0003567040.tif 000003
【図３】
0003567040.tif 000004
【図４】
0003567040.tif 000005
【図５】
0003567040.tif 000006
【図６】
0003567040.tif 000007
【図７】
0003567040.tif 000008